(57)【特許請求の範囲】
【請求項１】
壁面に取付けられ、水平な長手方向に細長く延び、金属材料から成り、押出成形によって長尺材として製造されたものであり、医療用配管配線接続端子が収納されるフレーム２と、
接続端子を露出してフレーム２を覆うカバー３とを含み、
（ａ）フレーム２は、
（ａ１）背面板１２と、
（ａ２）背面板１２から前方に突出する上仕切板１３と、
（ａ３）上仕切板１３の下方で背面板１２から前方に突出する下仕切板１４とを含み、
下仕切板１４は第１前端部７７を有し、
上仕切板１３は第２前端部８３を有し、
（ｂ）下仕切板１４の第１前端部７７と、上仕切板１３の第２前端部８３との間にわたって配置される複数のパネル１１と、
（ｃ）水平方向に隣接するパネル１１相互間に介在される合成樹脂製スペーサ１０２であって、
このスペーサ１０２は、下仕切板１４の第１前端部７７と、上仕切板１３の第２前端部８３との間にわたって配置され、
水平方向に隣接するパネル１１の端面間に配置される突条１０３と、
突条１０３に、パネル１１の背後で前記長手方向両方向に突出して連なる側方突片１０４とを含むスペーサ１０２とを有し、
（ｄ）下仕切板１４の第１前端部７７には、
（ｄ１）第１前支持部７８と、
（ｄ２）第１前支持部７８に連なってその第１前支持部７８の下部で角変位空間８０を形成する取付支持体７９であって、
この角変位空間８０内に下方に臨む第１支持部８１と、
角変位空間８０内の前方でかつ第１支持部８１よりも下方に形成される第２支持部８２とを有する取付支持体７９とを有し、
（ｅ）上仕切板１３の第２前端部８３は、
（ｅ１）第２前支持部８４と、
（ｅ２）第２前支持部８４の上方に連なる保持体８５とを有し、
（ｆ）保持体８５には、保持用凹溝８６が前方に臨んで形成され、この保持用凹溝８６は、上下のナット案内部８７と、そのナット案内部８７の前方にそれぞれ形成される上下の抜止め部８８とを有し、
（ｇ）パネル１１は、下仕切板１４の第１前端部７７と上仕切板１３の第２前端部８３との間にわたって配置され、
（ｈ）パネル１１の下端部は、前記角変位空間８０に嵌まり込んでパネル１１の上端部が前方に突出するように揺動可能であり、
（ｉ）スペーサ１０２の下端部１０５は、前記角変位空間８０に嵌まり込んでスペーサ１０２の上端部１０６が前方に突出するように揺動可能であり、
（ｊ）スペーサ１０２の上端部１０６には、嵌合片１０７が形成され、前記嵌合片１０７は、上下に間隔をあけて背後に突出して形成された一対の突片１０８から成り、
上下の各突片１０８の先端部には、上下の外側方にそれぞれ突出した凸部１０９が形成され、
突片１０８の上下の各凸部１０９は、保持用凹溝８６の上下の各抜止め部８８の内面に、弾発的に当接して保持され、
（ｋ）保持用凹溝８６のナット案内部８７には、ナット８９が嵌め込まれ、
（Ｌ）パネル１１の上端部は、パネル１１の上端部を挿通するボルト９７がナット８９に螺合することによって、保持体８５に着脱可能に保持されることを特徴とする医療用配管配線接続端子収納ユニット。
【請求項２】
セパレータ１２７を含み、
このセパレータ１２７は、
上下の仕切板１３，１４間で上下に延び、かつ、背面板１２とパネル１１との間で前後に延び、強電用接続端子と弱電用接続端子との間を仕切るために、または、これらの強電用接続端子および／または弱電用接続端子と配管用接続端子との間を仕切るために設けられ、前記長手方向に変位して設定可能であり、
スペーサ１０２の突条１０３には、背後に開放した嵌合溝１１０が形成され、
セパレータ１２７の前方端部１４０は、スペーサ１０２の前記嵌合溝１１０に着脱可能に嵌合することを特徴とする請求項１記載の医療用配管配線接続端子収納ユニット。
【発明の詳細な説明】
【０００１】
【発明の属する技術分野】
本発明は、治療室および一般病室などにおいて好適に使用され、治療に必要なたとえば酸素、笑気および空気などの医療用ガスを供給するアウトレットおよび電力を供給する強電用接続端子、さらにナースコールなどの電気信号の弱電用接続端子を集中して収納する医療用配管配線接続端子収納ユニットに関する。
【０００２】
【従来の技術】
このような医療用配管配線接続端子収納ユニットでは、医療用ガスならびに強電用および弱電用の各種接続端子が選択して収納される。先行技術では、各種の接続端子を収納するにあたり、現物合わせ加工を行い、取付けているので、収納ユニットの横の長さが同一であっても、互換性がなく、またその収納ユニットの構成要素の保管、管理に手間、工数がかかるという問題がある。
【０００３】
【発明が解決しようとする課題】
本発明の目的は、構成要素の数を低減し、これによって施工を容易にするとともに、組立工数を低減することができるようにした医療用配管配線接続端子収納ユニットを提供することである。
【０００４】
【課題を解決するための手段】
本発明は、壁面に取付けられ、水平な長手方向に細長く延び、金属材料から成り、押出成形によって長尺材として製造されたものであり、医療用配管配線接続端子が収納されるフレーム２と、
接続端子を露出してフレーム２を覆うカバー３とを含み、
（ａ）フレーム２は、
（ａ１）背面板１２と、
（ａ２）背面板１２から前方に突出する上仕切板１３と、
（ａ３）上仕切板１３の下方で背面板１２から前方に突出する下仕切板１４とを含み、
下仕切板１４は第１前端部７７を有し、
上仕切板１３は第２前端部８３を有し、
（ｂ）下仕切板１４の第１前端部７７と、上仕切板１３の第２前端部８３との間にわたって配置される複数のパネル１１と、
（ｃ）水平方向に隣接するパネル１１相互間に介在される合成樹脂製スペーサ１０２であって、
このスペーサ１０２は、下仕切板１４の第１前端部７７と、上仕切板１３の第２前端部８３との間にわたって配置され、
水平方向に隣接するパネル１１の端面間に配置される突条１０３と、
突条１０３に、パネル１１の背後で前記長手方向両方向に突出して連なる側方突片１０４とを含むスペーサ１０２とを有し、
（ｄ）下仕切板１４の第１前端部７７には、
（ｄ１）第１前支持部７８と、
（ｄ２）第１前支持部７８に連なってその第１前支持部７８の下部で角変位空間８０を形成する取付支持体７９であって、
この角変位空間８０内に下方に臨む第１支持部８１と、
角変位空間８０内の前方でかつ第１支持部８１よりも下方に形成される第２支持部８２とを有する取付支持体７９とを有し、
（ｅ）上仕切板１３の第２前端部８３は、
（ｅ１）第２前支持部８４と、
（ｅ２）第２前支持部８４の上方に連なる保持体８５とを有し、
（ｆ）保持体８５には、保持用凹溝８６が前方に臨んで形成され、この保持用凹溝８６は、上下のナット案内部８７と、そのナット案内部８７の前方にそれぞれ形成される上下の抜止め部８８とを有し、
（ｇ）パネル１１は、下仕切板１４の第１前端部７７と上仕切板１３の第２前端部８３との間にわたって配置され、
（ｈ）パネル１１の下端部は、前記角変位空間８０に嵌まり込んでパネル１１の上端部が前方に突出するように揺動可能であり、
（ｉ）スペーサ１０２の下端部１０５は、前記角変位空間８０に嵌まり込んでスペーサ１０２の上端部１０６が前方に突出するように揺動可能であり、
（ｊ）スペーサ１０２の上端部１０６には、嵌合片１０７が形成され、前記嵌合片１０７は、上下に間隔をあけて背後に突出して形成された一対の突片１０８から成り、
上下の各突片１０８の先端部には、上下の外側方にそれぞれ突出した凸部１０９が形成され、
突片１０８の上下の各凸部１０９は、保持用凹溝８６の上下の各抜止め部８８の内面に、弾発的に当接して保持され、
（ｋ）保持用凹溝８６のナット案内部８７には、ナット８９が嵌め込まれ、
（Ｌ）パネル１１の上端部は、そのパネル１１の上端部を挿通するボルト９７がナット８９に螺合することによって、保持体８５に着脱可能に保持されることを特徴とする医療用配管配線接続端子収納ユニットである。
本発明は、セパレータ１２７を含み、
このセパレータ１２７は、
上下の仕切板１３，１４間で上下に延び、かつ、背面板１２とパネル１１との間で前後に延び、強電用接続端子と弱電用接続端子との間を仕切るために、または、これらの強電用接続端子および／または弱電用接続端子と配管用接続端子との間を仕切るために設けられ、前記長手方向に変位して設定可能であり、
スペーサ１０２の突条１０３には、背後に開放した嵌合溝１１０が形成され、
セパレータ１２７の前方端部１４０は、スペーサ１０２の前記嵌合溝１１０に着脱可能に嵌合することを特徴とする。
【０００５】
本発明に従えば、スペーサの下端部を下仕切板の第１前端部に形成された取付支持体の角変位空間内に嵌め込んで揺動可能とし、このスペーサの上端部に形成された嵌合片を、上仕切板の第２前端部に形成された保持体の保持用凹溝に着脱可能に弾発的に嵌合するので、スペーサを、パネルとともにフレームに取付けることが容易である。このスペーサには、前述のようにパネルの背後に側方突片が形成されているので、スペーサがパネルの前方に外れてしまうおそれはない。
【０００６】
【発明の実施の形態】
図１は、本発明の実施の一形態の前提となる全体の構成を簡略化して示す斜視図である。医療用配管配線接続端子収納ユニット１は基本的に、フレーム２と、このフレームを覆うカバー３とフレーム２を治療室または一般病室などの建物の壁面に固定するための取付部材４などを含む。フレーム２は、横の（すなわち水平な）長手方向に細長く延び、接続端子５が収納される。カバー３は、接続端子５を露出する開口部６を有する。
【０００７】
図２は、図１に示される医療用配管配線接続端子収納ユニット１の正面図である。ユニット１に収納される接続端子は、医療用ガス、たとえば酸素、笑気ガスおよび空気などの接続端子および真空吸引をする端子などを含み、これらの端子５は、カバー装置７で覆われている状態が示される。さらにこのフレーム２には、交流電源のコンセントである強電用接続端子５ａ、ナースコールスイッチなどの信号線の弱電用接続端子５ｂを含む。さらに患者のネームプレート８、起伏可能な吊り具９が設けられる。さらに患者の貴重品などの小物類を収納する収納庫１０が備えられる。参照符５ａ，５ｂなどは、参照符５で総括的に示すことがある。図１に示されるフレーム２に備えられた接続端子５は、図２に示される接続端子５ａ，５ｂ、カバー装置７、ネームプレート８、吊り具９および収納庫１０などを備えたフレーム２とは異なっており、本発明では、このような収納ユニット１は、各種の用途に変形して用いることができる。フレーム２の接続端子５などが配置されない個所は、ほぼ平板状のパネル１１が取付けられる。
【０００８】
図３は、図１に示される収納ユニット１の縦断面図である。フレーム２は基本的に、背面板１２と、背面板１２から前方（図１および図３の左方）に突出する上仕切板１３と、上仕切板１３の下方で背面板１２から前方に突出する下仕切板１４とを含む。背面板１２の上部１５には壁面１６から離間した凹所１７が形成される。この凹所１７内には、前記上部１５から後方（図１および図３の右方）になるにつれて下方に傾斜した係合片１８が形成される。このフレーム２は、たとえばアルミニウムまたはその合金などの金属材料から成り、押出成形によって長尺材として製造される。取付部材４は、壁面１６にビスなどが挿通されて固定される取付部１９と、取付部１９の上端部から前方（図３の左方）になるにつれて上方に傾斜して延びる係合受部２０とを有する。係合受部２０上に係合片１８が乗って係合することによって、フレーム２が壁面１６に固定される。背面板１２の上部１５と上仕切板１３とによって上収納空間２１が形成される。背面板１２と上下の仕切板１３，１４によって中間収納空間２２が形成される。背面板１２と下仕切板１４とによって下収納空間２３が形成される。
【０００９】
図４は、カバー３の分解した状態を示す正面図である。カバー３は、長手方向（図４の左右方向）に平行な第１対称面２４に関して対称な上下の一対のカバー部材２５，２６と、長手方向に垂直な第２対称面２７に関して対称な左右の一対の側板２８，２９とを有する。カバー部材２５，２６はアルミニウムまたはその合金などの金属製であって押出成形によって製造される。側板２８，２９は、たとえばＡＢＳ樹脂などの合成樹脂製であり、射出成形によって製造される。カバー部材２５，２６と側板２８，２９とは、接着剤などによって一体的に固定される。
【００１０】
図５は、カバー３の内方から見た側板２８の正面図である。図６は図５の切断面線ＶＩ−ＶＩから見た断面図であり、図７は図５の切断面線ＶＩＩ−ＶＩＩから見た断面図であり、図８は図５の切断面線ＶＩＩＩ−ＶＩＩＩから見た断面図であり、図９は図５の切断面線ＩＸ−ＩＸから見た断面図である。側板２８は、その前周縁部で屈曲した覆い部３１が形成され、また後周縁部にはわずかな覆い部３２が形成される。覆い部３１の内方には、カバー部材２５，２６を挟持して取付ける取付支持片３３，３４；３５，３６が形成される。図７の挟持溝３６ａにはカバー部材２６が嵌まり込み、図９の挟持溝３３ａにはカバー部材２５が嵌まり込む。
【００１１】
側板２８の上部には、支持凸部４１が、形成される。
【００１２】
図１０は、側板２８に形成される支持凸部４１の拡大正面図である。図１１は、図１０の切断面線ＸＩ−ＸＩから見た断面図である。支持凸部４１は、フレーム２の長手方向（図５および図１０の紙面に垂直方向）に延びて形成される。覆い部３１と支持凸部４１との間には、カバー部材２５の長手方向端部が嵌まり込む挟持溝４２が形成される。支持凸部４１は、図３に示されるように、背面板１２の上部１５に形成された壁面１６との間の支持凹所４３に嵌まり込んで長手方向に平行な水平軸線まわりに角変位することができる。もう１つの側板２９もまた、側板２８と対称に構成される。支持凹所４３は、背面板１２の上部１５の壁面１６側に屈曲して延びる頂部４４と、前記壁面１６との間に形成される。支持凸部４１が、支持凹所４３に嵌合して支持され、これによってカバー３の下部が前記壁面１６よりも後述の図１８の参照符４５で示されるように前方（図３および図１８の左方）へ変位するように、カバー３が横の軸線まわりに揺動可能になる。
【００１３】
図１２はカバー部材２６の側面図であり、図１３は図１２のセクションＸＩＩＩの拡大側面図である。カバー部材２６の下部には、係止部４７が形成される。この係止部４７は、上方にかつ前方に向かって臨む凹部４８を有する。係止部４７は、係止端部４９と、係止端部４９の下部に連なる下制限部５０とを有する。カバー部材２６と下制限部５０との間には、嵌入溝５１が形成される。
【００１４】
図１４は、図１２のセクションＸＩＶの拡大側面図である。カバー部材２６には、内面から隆起した一対の突起１２２，１２３がカバー部材２６の長手方向（図１２および図１４の紙面に垂直方向）に沿って延びる。これらの突起１２２，１２３によって、固定用溝１２１が形成される。カバー３の開口６側の突起１２２には、支持突起１２４が形成される。この支持突起１２４は、下仕切板１４の第１前端部７７における角変位空間８０よりも下方に突出した受突起１２５上に当接して支持される。もう１つのカバー部材２５もまた、カバー部材２６と同様に構成され、このカバー部材２５の支持突起１２４は、上仕切板１３の図２０に示される保持体８５に形成された受突起１２６に当接して支持される。照明部材１１６の一端部１１８を嵌入溝５１に嵌入した状態で、タッピングビス１２０を用いてカバー部材２６に固定することができるので、作業性が良好である。もう１つの照明部材１１５に関してもまた、照明部材１１６と同様に構成される。
【００１５】
図１５はフレーム２の下部に設けられる係止爪部材５２の側面図であり、図１６は係止爪部材５２の正面図である。係止爪部材５２は、背面板１２の下仕切板１４よりも下方に嵌合して取付けられる。この係止爪部材５２は、たとえばＡＢＳ樹脂などの合成樹脂材料から成り、弾発性を有する。係止爪部材５２の取付部５３は、図１５に明らかに示されるようにその断面がほぼＨ字状であり、背面板１２に形成された挿入孔５４（後述の図１７参照）に拡大部５６を嵌め込んで背面板２の長手方向に延びるスリット５５にずらすことによって、このスリット５５に連結支持部５７が嵌まり込み、これによって係止爪部材５２が背面板１２に取付けられる。取付基部５３には垂直に立上り部５８が連なり、その立上り部５８の端部に係止爪５９が連なる。係止爪５９の係止面６０は、立上り部５８から下方にかつ背後に向かって、すなわち壁面１６に向かって臨む。
【００１６】
前述の図１３に示される係止部４７の凹部４８には、係止爪５９が係止する。係止爪５９と係止部４７との図１３の上下方向への相互の離間によって、係止状態が解除されることができる。
【００１７】
係止部４７の係止端部４９は、係止爪５９の係止面６０よりも背後（図１３の右方）にあり、係止爪５９に弾発的に当接する。この係止端部４９は、長手方向（図１３の紙面に垂直方向）に垂直な仮想平面（すなわち図１３の紙面）内で円みをおびた形状を有する。これによって係止爪５９の係止面６０の端部６１が、円みをおびた係止端部４９に案内されて、凹部４８に円滑に到達することができる。この係止部４７の下制限部５０は、係止端部４９の下部に連なる。下制限部５０は、係止爪５９の前記端部６１が下方に変位することを制限する。これによってカバー部材２６の下部６２（図１３参照）が下方に弾発的に変位されたとき、係止爪５９の係止面６０が係止端部４９から離脱することが容易になる。
【００１８】
カバー３のカバー部材２６には、壁面１６の間に隙間６３を形成するための後方（図１３の右方）に開放した切欠き６４が形成される。この切欠き６４は、長手方向に間隔をあけて複数（たとえばこの実施の形態では図１７に明らかに示されるように合計３）形成される。各切欠き６４は、係止爪５９に対応する。
【００１９】
本件収納ユニット１を壁面１６に取付けて施工するにあたっては、まず壁面１６に取付部材４の取付部１９をビスなどを用いて壁面１６に、水平に横に延びるように固定する。次にフレーム２の係合片１８を、取付部材４の係合受部２０に係合し、こうしてフレーム２を壁面１６に固定する。
【００２０】
その後カバー３の側板８に形成されている支持凸部４１を、フレーム２の支持凹所４３に嵌合して支持した状態とする。このことはもう１つの側板２９に関しても同様である。
【００２１】
図１８は、カバー３をフレーム２に取付けて施工し、または保守点検のためにカバー３をフレーム２から取外す状態を示す断面図である。支持凹所４３に支持凸部４１が嵌合してカバー３が支持された状態で、カバー３の下部６２を壁面１６に向かって矢符６５のように角変位する。これによって係止爪５９の円弧状の外周部６６に係止部４７の係止端部４９が接触してカバー部材２６および爪部材５２の弾発力によって相互に変位し、このカバー３を矢符６５の方向にさらに押し込むことによって、図３および図１８に示されるように係止爪５９と係止部４７とが係止して係止状態になる。こうしてカバー３をフレーム２に取付ける施工作業が完了する。
【００２２】
接続端子５などの保守点検のためにカバー３をフレーム２から取外すにあたっては、まず係止解除工具６７を準備する。この係止解除工具６７は、先端部６８と、この先端部６８に連なる基端部とがほぼ垂直に屈曲部７０で連なり、全体の形状がほぼＬ字状に形成される。係止解除工具６７の先端部６８を、切欠き６４によって形成された隙間６３からカバー３内に挿入し、係止解除工具６７の屈曲部７０を壁面１６に当接したままで、その基端部６９の屈曲部７０から遠去かった部分７１を、壁面１６に近接する方向７２に押す。したがってカバー３のカバー部材２６の下部６２が、先端部６８によって外方７３に弾発的に変形される。したがって係止爪５９の係止面６０から係止部４７の係止端部４９が図１３および図１８の下方に変位し、係止爪５９と係止部４７との係止状態が解除される。これによってカバー３を、図１８の矢符６５とは逆方向に揺動し、カバー３をフレーム２から取外すことができる。
【００２３】
図１９は、下仕切板１４の拡大した側面図である。下仕切板１４の第１前端部７７には基本的に、第１前支持部７８と、取付支持体７９とが形成される。取付支持体７９は、第１前支持部７８に連なってその第１前支持部７８の下部で角変位空間８０を形成する。この取付支持体７９は、角変位空間８０内に下方に臨む第１支持部８１と、角変位空間８０の前方（図１９の左方）でかつ第１支持部８１よりも下方に形成される第２支持部８２とを含む。前支持部７８と第２支持部８２との前後方向（図１９の左右方向）の間隔Ｌ１は、第１および第２支持部８１，８２の上下の間隔Ｌ２と等しく、これらの間隔Ｌ１，Ｌ２は、パネル１１の厚みＬ１０に等しい（Ｌ１０＝Ｌ１＝Ｌ２）。
【００２４】
図２０は、上仕切板１３の拡大側面図である。上仕切板１３の第２前端部８３には、第２前支持部８４と、第２前支持部８４の上方に連なる保持体８５とが形成される。保持体８５には、保持用凹溝８６が、前方（図２０の左方）に臨んで形成される。この保持用凹溝８６は、上下のナット案内部８７と、そのナット案内部８７の前方にそれぞれ形成される上下の抜止め部８８とを含む。
【００２５】
図２１は、上仕切板１３の保持体８５に形成された保持用凹溝８６に収納されるナット８９と介在片９０とを示す斜視図である。ナット８９はその軸線に直角な断面が六角形の外形を有し、ナット案内部８７に嵌め込まれる。複数のナット８９の間隔は、これらのナット８９間に配置される介在片９０によって保たれる。この介在片９０は、ナット案内部８７に挿入され、ナット８９間の距離を、予め定める値に保つ。
【００２６】
再び図３を参照して、パネル１１は、接続端子５が臨む透孔が形成され、または接続端子５が取付けられる装着部９１と、この装着部９１の下部の立上り部９２に連なる下取付部９３と、立上り部９４に連なる上取付部９５とを含む。パネル１１をフレーム２に取付け、または取外すにあたっては、このパネル１１の下端部である下取付部９３が下仕切板１４の第１前端部７７に形成された角変位空間８０内に嵌まり込んでこのパネル１１の上端部が第２前端部８３から前方に後述の図２７に示されるように突出するように、揺動可能にされる。このパネル１１が図２７の参照符９６で示されるようにほぼ水平に倒されて前方に突出した姿勢において、パネル１１が、フレーム２から脱落するおそれはない。このときパネル１１の下取付部３は、図１９に示されるように第１支持部８１と第２支持部８２とによって支持される。
【００２７】
パネル１１をボルト９７を用いてフレーム２に固定するにあたっては、後述の図２７の前方に突出した姿勢９６を有するパネル１１を垂直に起立した姿勢とし、パネル１１の上端部である上取付部９５に予め挿通したボルト挿通孔に、ボルト９７を挿通し、上仕切板１３の保持体８５の保持用凹溝８６に挿入されたナット８９に、ボルト９７を螺合する。これによってパネル１１の下取付部９３は、第１前端部７７の第１前支持部７８に当接し、またパネル１１の上取付部９５は、保持体８５の第２前支持部８４に当接し、フレーム２に強固に固定される。
【００２８】
図２２は、下仕切板１４の図１９におけるセクションＸＸＩＩの拡大側面図である。下仕切板１４には、背面板１２寄りで、フレーム２の長手方向（図２２の紙面に垂直方向）に延びる保持部９９が形成される。この保持部９９は、下仕切板１４に垂直である係止端部１００と、係止端部１００よりも前方（図２２の左方）で、後方（図２２の右方）になるにつれて中間収納空間２２内に隆起した丸みを帯びた外周部１０１とを有する。
【００２９】
図２３は、本発明の実施の一形態である医療用配管配線接続端子収納ユニット１のスペーサ１０２の構成を示す側面図である。図２４（１）はスペーサ１０２の正面図であり、図２４（２）はスペーサ１０２の底面図であり、図２４（３）は図２４（１）の切断面線Ａ２４−Ａ２４から見た断面図である。さらに図２５は、スペーサ１０２の背面図である。これらの図面を参照して、スペーサ１０２は、横に（すなわち水平方向に）隣接するパネル１１相互間に介在され、これらのパネル１１間の隙間を塞ぎ、中間収納空間２２にごみなどの異物が侵入することを防ぐ。スペーサ１０２は、水平方向に隣接するパネル１１の端面間に配置される突条１０３と、この突条１０３にパネル１１の背後（図２３の右方）で、すなわち中間収納空間２２側で、フレーム２の長手方向両方向（図２３の紙面に垂直方向、図２４（１）、図２４（２）および図２５の左右方向）に突出して連なる一対の側方突片１０４とを含む。スペーサ１０２の下端部１０５は、図１９に関連して前述した下仕切板１４の取付支持体７９の角変位空間８０に嵌まり込んで、スペーサ１０２の上端部１０６が、図２７に示されるパネル１１と同様に前方に突出するように揺動可能であり、これによってスペーサ１０２がフレーム２から脱落することが防がれる。
【００３０】
スペーサ１０２の上端部１０６には、一対の嵌合片１０７が形成される。
【００３１】
図２６はスペーサ１０２の上端部１０６に形成された嵌合片１０７の拡大した側面図である。嵌合片１０７は、図２０に示される上仕切板１３の保持体８５に形成された保持用凹溝８６に着脱可能に弾発的に嵌合する。嵌合片１０７は、図２３および図２６に明らかに示されるように、上下に間隔をあけて、背後（図２３および図２６の右方）に突出して形成された一対の突片１０８から成る。上下の各突片１０８の先端部には、上下の外側方にそれぞれ突出した凸部１０９が形成される。このスペーサ１０２は、たとえばＡＢＳ樹脂などの合成樹脂から成る。突片１０８の上下の各凸部１０９は、図２０の保持用凹溝８６における上下の各抜止め部８８の内面に、スペーサ１０２の弾発力でそれぞれ当接してスペーサ１０２がフレーム２に保持される。突片１０８の長さＬ４（図２６参照）は、保持用凹溝８６の抜止め部８８の幅Ｌ３（図２０参照）に等しい（Ｌ４＝Ｌ３）。
【００３２】
スペーサ１０２の下端部１０５は、下仕切板１４の第１前端部における第１前支持部７８に当接し、また上端部１０６は、上仕切板１３の第２前端部８３における第２前支持部８４に当接し、これらの第１および第２前端部７７，８３との間にわたってスペーサ１０２が配置されてフレーム２に取付けられる。
【００３３】
スペーサ１０２の突条には、図２５に示されるように背後に開放した嵌合溝１１０が形成される。
【００３４】
図２７は、本件収納ユニット１の縦断面図である。図２７では、前述のようにパネル１１が前方に倒された施工、保守点検時の状態が参照符９６で示される。さらに上下の収納空間２１，２３には、白熱灯または蛍光灯１１２などの光源１１１，１１２が収納される。これらの光源１１１，１１２を覆うカバー部材２５，２６には、透孔１１３，１１４が形成される。透孔１１３，１１４には、照明部材１１５，１１６が配置される。照明部材１１５，１１６は、透光性材料、たとえばアクリル樹脂などの合成樹脂材料から成る。照明部材１１６は、透孔１１４に嵌まり込んで光源１１２からの光を外部に放射する照明部１１７を有し、この照明部１１７には、下収納空間２３内に延びる外周部を有する。照明部材１１６の前記外周部である一端部１１８は、特に図１３に明瞭に示されるように、係止部４７付近における嵌入溝５１に嵌入されて保持される。照明部材１１６の前記外周部の他端部１１９には、タッピングビス１２０が挿通する。このタッピングビス１２０は、カバー部材２６の特に図１４に示される固定用溝１２１に螺着される。
【００３５】
図２８はフレーム２とその付近を示す斜視図であり、図２９はフレーム２とその付近の構成を示す縦断面図である。フレーム２の背面板１２と上下の仕切板１３，１４によって形成される中間収納空間２２ａ，２２ｂ，２２ｃ（総括的に参照符２２で示すことがある）を長手方向に分割するためにセパレータ１２７と、セパレータ片１２８とが用いられる。これらのセパレータ１２７は、上下の仕切板１３，１４間で上下に延び、かつ、背面板１２とパネル１１との間で前後（図２９の左右）に延びる。セパレータ１２７は、強電用接続端子５ａが収納される中間収納空間２２ａ，２２ｃと、弱電用接続端子５ｂ（前述の図２参照）が収納される中間収納空間２２ｂとの間を仕切るために用いられ、さらにまた配線用のこれらの接続端子５ａ，５ｂを収納する中間収納空間２２ａ，２２ｂ，２２ｃと、医療用ガスなどのための配管用接続端子５ｄ（前述の図１８参照）との間を仕切るために設けられる。スペーサ１０７は、フレーム２の長手方向（図２８の左右方向、図２９の紙面に垂直方向）に変位して設定可能である。
【００３６】
図３０はセパレータ１２７の側面図であり、図３１はセパレータ１２７の正面図であり、図３２はセパレータ１２７の平面図である。セパレータ１２７の下部には、電線１２９または管路が挿通される前方（図３０の左方）に開放した切欠き１２９が形成される。セパレータ１２７の左右両側部には、切欠き１２９の上方で上下一対の挟持片１３１，１３２が突設される。
【００３７】
再び図２８を参照して、セパレータ片１２８は、横板１３３と縦板１３４とを有する。セパレータ片１２８は、これらの横板１３３と縦板１３４とがフレーム２の長手方向に垂直な断面がほぼＬ字状になるように組合わされて一体的に構成される。
【００３８】
セパレータ片１２８の横板１３３の長手方向端部（図２８の左右の端部）は、一対の挟持片１３１，１３２によって挟持される。縦板１３４は、切欠き１３０の開放した前端部付近を、図２９に示されるように閉じる。
【００３９】
一対の挟持片１３１，１３２のうち、上の挟持片１３１は、前後（図３０の左右方向）に延び、かつ、その前後の両端部には、下方に突出した凸部１３５，１３６がそれぞれ形成される。凸部１３５，１３６は、下方に凸であり、その外周面は丸みを帯びて形成され、したがって横板１３３の図２８における中間収納空間２２ｂへの挿入を円滑にすることができる。
【００４０】
下の挟持片１３２は、上の挟持片１３１の凸部１３５，１３６の前後方向のほぼ中央位置に突設される。この挟持片１３２は挟持片１３１に臨む面が上に凸であって丸みを帯びて形成され、この実施の形態ではその挟持片１３２は直円柱状のピン状に構成され、これによって横板１３３の挿入を円滑に行うことができる。こうして凸部１３５，１３６と挟持片１３２との間で横板１３３が主として挟持片１３１の弾発力によって挟持されて、支持されることができる。
【００４１】
セパレータの上部または下部のいずれか少なくとも一方（この実施の形態では上部および下部の両者）には、横の両側方に延びる支持板１３７，１３８がそれぞれ形成される。これらの支持板部１３７，１３８は、対向する下仕切板１４および上仕切板１３に当接する。したがってセパレータ１２７が、フレーム２の長手方向に摺動して位置調整を行う際に、そのセパレータ１２７が倒れてしまうことがなく、位置決めを円滑に行うことができるとともに、作業性が良好である。
【００４２】
セパレータ１２７の前方端部は、薄肉に形成される。この端部１４０は、前述の図２４（３）および図２５に示されるスペーサ１０２の背後（図２４（３）の下方）に開放して形成される嵌合溝１１０に着脱可能に嵌合する。これによってスペーサ１２７が、フレーム２の長手方向に不所望にずれて変位することが防がれる。
【００４３】
図３３は、図３０のセクションＡ３３の拡大側面図である。セパレータ１２７には、図２２に関連して前述した保持部９９に弾発的に係止する保持爪１４２が形成される。この保持爪１４２は、セパレータ１２７の支持板１３８よりも後方（図３０、図３２および図３３の右方）に形成される。保持爪１４２は、基端部１４３を介して支持板部１３８に連なる。保持爪１４２の下方には、この保持爪１４２と基端部１４３が下方に弾発的に撓むことを可能にするための間隙１４４が形成される。スペーサ１２７の下にもまた、保持爪１４２と上下に対称な保持爪１４５が形成される。保持爪１４５は、図２２の保持部９９に形成された係止端部１００に弾発的に係止して保持される。係止爪１４２は、上仕切板１３の背面板１２寄りに形成されたもう１つの保持部１４６の係止端部１４７に弾発的に係止する。係止部１４６は、係止部９９と上下に対称に構成される（図２０参照）。
【００４４】
支持板部１３７，１３８は、三角形状のリブ１４８，１４９によって補強され、支持板１３７，１３８は、セパレータ１２７に垂直に側方に延びる。
【００４５】
図３４は他のセパレータ１２７ａの側面図であり、図３５は図３４に示されるセパレータ１２７ａの正面図である。このセパレータ１２７ａは、前述のセパレータ１２７に類似し、対応する部分には同一の参照符を付す。このセパレータ１２７ａでは、前述のセパレータ１２７における切欠き１３０は形成されず、参照符１５０で示されるように閉じられている。セパレータ１２７ａは、電線および管路が挿通しない場合において、中間収納空間２２を仕切るために用いられる。
【００４６】
図３６は、本件収納ユニット１の一部の正面図であり、図３７は図３６の切断面線ＡＶＩＩ−ＡＶＩＩから見た断面図である。この収納ユニット１は、前述の収納ユニット１とは異なる態様で用いられる。収納ユニット１は、電子錠付き収納庫１５１が装着され、病人の貴重品などの小物類を収納しておくことができる。図３８は収納庫１５１の正面図である。この収納庫１５１は、基本的に、収納庫本体１５２と、電子錠１５３によって開閉可能な蓋体１５４とを含む。収納庫本体１５２は、上下の仕切板１３，１４間の中間収納空間２２に配置され、背面板１２に形成された取付孔１５５を挿通し、壁面１６に形成された凹所１５６に部分的に嵌まり込んで設置される。
【００４７】
収納庫１５１と取付部材１６１との組合せは、フレーム２に対応して規格化された構成を有し、基準となるパネル１１の複数個（たとえば２個）分の幅（図３６の左右の長さ）を有し、これによってフレーム２およびパネル１１を共用化し、各種の態様で収納ユニット１を構成することができる。
【００４８】
図３９は、収納ユニット１の前述とは異なる使用状態を示す正面図であり、図４０は図３９の切断面線Ａ４５−Ａ４５から見た断面図である。この実施の形態は、前述の実施の形態に類似し、特に図２７の実施の形態に類似する。カバー部材２６の透孔１１４に照明部材１１６が取付けられ、光源１１２からの光が外部に放射されて照明が行われる。この実施の形態では、前述の図２７における光源１１１と照明部材１１５とは省略される。そのほかの構成は、前述の実施の形態と同様である。
【００４９】
図４１は、収納ユニット１の一部の正面図である。この収納ユニット１では、パネル１１ａに、医療用ガスを供給し、または真空吸引するための配管の接続端子５ｅが臨む。接続端子５ｅは、パネル１１ａに固定されてもよい。接続端子５ｅは、カバー装置１８１によって覆われ、または露出される。このカバー装置１８１は基本的に、カバー部材１８２と、ホルダ１８３とを含む。カバー装置１８１を構成するカバー部材１８２とホルダ１８３とは、ＡＢＳ樹脂などの合成樹脂材料から成る。セパレータ１２７は、合成樹脂材料から成ってもよく、または金属材料から成ってもよい。
【００５０】
以上のように、接続端子５が収納されるフレーム２をカバー３で覆い、フレーム２の下部に取付けられた係止爪５９を、カバー３の下部に取付けられた係止部４７に係止する。これによってフレーム２へのカバー３の取付作業が容易になるとともに、先行技術におけるビス止めの構成に比べて構成要素の数を低減することができ、現場での施工作業が容易になり、組立工数を低減することができる。
【００５１】
係止爪５９と係止部４７との相互の離間によって、その係止状態を容易に解除することができ、これによって保守点検作業が容易である。
【００５２】
また、フレーム２の上部に形成された支持凹所４３に、カバー３の上部の支持凸部４１を嵌合して支持し、したがってたとえば病室などの壁面１６に予め取付けられたフレーム２にカバー３を容易に支持し、これによって一人の作業者で施工作業を容易に行うことができる。
【００５３】
さらにカバー３の下部を、壁面１６から前方に変位して揺動可能であるので、フレーム２に取付けてある係止爪５９とカバー３の係止部４７とを係止する作業が可能であり、またその係止状態の解除が容易であり、カバー３をフレーム２から取外す保守点検時の作業も容易となる。
【００５４】
また、カバー３に設けられる係止部４７の丸みをおびた係止端部４９には、フレーム２にカバー３を取付けるにあたり、係止爪５９が、この係止端部４９に案内されて係止されることが容易である。係止部４７に係止爪５９が係止した状態において、係止部４７に形成された下制限部５０は、係止爪５９との係止している長さを制限する。したがってカバー３の下部に形成されたたとえば切欠き６４などの隙間６３から係止解除工具６７を用いてカバー３、したがって係止部４７または係止爪５９を弾発的に変形して、係止爪５９と係止部４７との係止状態を解除することが容易である。したがってフレーム２にカバー３が取付けられた状態で、そのフレーム２からカバー３を取外して保守点検を行うことが容易である。
【００５５】
また、カバー３は上下一対のカバー部材２５，２６と、左右一対の側板２８，２９が枠状に組合わされて構成され、現場でフレーム２に取付けられるので、施工作業が容易である。
【００５６】
また、側板２８，２９に支持凸部４１が形成され、この支持凸部４１がフレーム２の支持凹所４３に嵌合してカバー３がフレーム２に支持される。したがってフレーム２にカバー３を装着する作業性が簡略化される。
【００５７】
また、本件収納ユニットを治療室および一般病室などの壁面１６に取付けて施工するにあたり、まずフレーム２を壁面１６に取付け、そのフレーム２の支持凹所４３に、カバー３の支持凸部４１を嵌合して支持した状態とし、その後、カバー３の下部を壁面１６に近付くように角変位し、フレーム２の係止爪５９とカバー３の係止部４７とを係止状態とする。こうしてフレーム２にカバー３を取付ける作業が容易である。
【００５８】
保守点検のためにカバー３をフレーム２から取外すにあたっては、ほぼＬ字状の係止解除工具６７を準備し、カバー３の隙間から係止解除工具６７の先端部を挿入し、カバー３の下部を弾発的に変形させて、係止爪５９と係止部４７との係止状態を解除する。したがってカバー３をフレーム２から取外す作業もまた、容易である。
【００５９】
また、背面板１２と上仕切板１３とによって上収納空間２１が形成され、背面板１２と上下の仕切板１３，１４とによって中間収納空間２２が形成され、さらに背面板１２と下仕切板１４とによって下収納空間２３が形成される。たとえば中間収納空間２２に配管配線接続端子を収納するにあたっては、パネル１１に接続端子が予め取付けられる。このパネル１１の下端部を、下仕切板１４の第１前端部７７を取付支持体７９に形成された角変位空間８０内に嵌め込み、このパネル１１の下端部を第１および第２支持部８１，８２で支持して、パネル１１をたとえばほぼ水平な姿勢で保ち、パネル１１の落下を防ぐことができる。
【００６０】
パネル１１を起立状態にしてそのパネル１１の上端部を上仕切板１３の第２前端部８３の保持体８５に、たとえばボルトなどを用いて着脱可能に保持する。これによってパネル１１の下端部は第１前支持部７８に当接し、パネル１１の上端部は第２前支持部８４に当接し、パネル１１がフレーム２に着脱可能に固定される。こうしてパネル１１の着脱を、一人の作業者で容易に行うことができる。
【００６１】
また、パネル１１には医療用配管配線接続端子５が固定され、接続端子５はたとえば前述のように中間収納空間２２に収納され、パネル１１から前方に臨む。接続端子５が設けられないパネル１１には、取付孔が形成されず、フレーム２の中間収納空間２２を閉じたままにする。
【００６２】
また、カバー３が露出する上下の仕切板１３，１４の第１および第２前端部７７，８３の間にわたって横に隣接して複数のパネル１１が配置され、これらのパネル相互間にスペーサ１０２が介在される。このスペーサ１０２は、フレーム２の長手方向である横方向のパネル端面間に介在される突条１０３と、そのパネル１１の背後で突条１０３に連なる側方突片１０４とを有する。したがってパネル１１の相互間に隙間が存在しても、この側方突片１０４によって、外部と中間収納空間２２とが連通することが防がれる。これによってごみなどの侵入を防ぐことができる。
【００６３】
また、スペーサ１０２を上下の仕切板１３，１４の第１および第２前端部７７，８３間にわたって配置し、パネル１１と同様にしてフレーム２に取付けることができ、施工作業が容易である。
【００６４】
また、フレーム２の中間収納空間２２を横方向にセパレータ１２７で仕切って、たとえば交流１００Ｖの電源コンセントなどの強電用接続端子５ａと、ナースコールおよびテレビジョン受信機などのための電気信号の弱電用接続端子５ｂとの間を仕切ることができる。またこのセパレータ１２７によって、これらの強電用接続端子５ａと医療用ガスなどの配管用接続端子５ｅとの間を仕切ることができ、さらに弱電用接続端子５ｂと配管用接続端子５ｅとを仕切ることができる。
【００６５】
さらに、セパレータ１２７は、フレーム２の横の長手方向に変位して設定可能であるので、フレーム２およびカバー３を共用化し、各種の接続端子をフレーム２に装着し、このような希望する接続端子の装着状態に応じて、セパレータ１２７を用いることができ、施工作業が容易である。
【００６６】
また、セパレータ１２７の下部に切欠き１２９を形成して、強電用または弱電用の電線を挿通し、または医療用ガスなどの流体のための管路を挿通し、中間収納空間２２に敷設することができる。さらにこの電線または管路が挿通する空間を仕切るために、セパレータ片１２８が用いられる。このセパレータ片１２８は、ほぼＬ字状であり、横に隣接するセパレータ１２７の側部に形成された上下一対の挟持片１３１，１３２に、セパレータ片１２８の横に延びる横板１３３の上下の両面が挟持されて取外可能に取付けられる。セパレータ片１２８の縦板１３４によって、切欠き１２９の開放した前端部付近を閉じることができる。こうして中間収納空間２２内を、接続端子が設けられるセパレータ片１２８よりも上方の空間と、配線または管路が挿通される下の空間とを上下に仕切ることができる。
【００６７】
また、セパレータ片１２８の横板１３３を挟持する上下一対の挟持片１３１，１３２のうち、上の挟持片１３１は２つの凸部によってセパレータ片１２８の横板１３３の上面を弾発的に押圧し、前記一対の挟持片１３１，１３２のうち、下の挟持片１３２は、このセパレータ片１２８の横板１３３の下面を支持する。この下の挟持片１３２は、上の挟持片１３１に形成された２つの凸部の前後方向のほぼ中央位置に突設され、たとえばピン状であり、構成の簡略化を図ることができるとともに、２つの凸部でセパレータ片１２８の横板１３３の上面を安定して支持し、下の挟持片１３２との間で支持することができる。
【００６８】
また、セパレータ１２７に形成された支持板部１３７，１３８が、上仕切板１３の下面または下仕切板１４の上面に当接し、これによってセパレータ１２７が上下の仕切板１３，１４に垂直に縦に配置され、セパレータ１２７が倒れてしまうことを防ぐことができる。このセパレータ１２７の支持板部１３７，１３８は、セパレータ１２７の上部と下部との両者に形成されてもよいけれども、上部だけまたは下部だけに形成されてもよい。
【００６９】
また、上仕切板１３または下仕切板１４には、横の長手方向に延びる保持部９９が形成され、この保持部９９に、セパレータ１２７の保持爪１４２が弾発的に係止して保持される。したがってセパレータ１２７が、中間収納空間２２から外れてしまうことがなく、施工作業が容易である。
【００７０】
また、セパレータ１２７の前方端部１４０は、スペーサ１０２の突条１０３の背後に形成された嵌合溝１１０に嵌まり込み、したがってフレーム２の横の長手方向にセパレータ１２７が不所望に変位してしまうおそれがなく、セパレータ１２７を安定してフレーム２に取付けることができる。
【００７１】
また、電子錠付き収納庫１５１が本件収納ユニットの中間収納空間２２に装着される。したがって病人の貴重品などを、収納庫に収納し、盗難などのおそれをなくすことができる。
【００７２】
また、フレーム２の上収納空間２１または下収納空間２３に白熱灯または蛍光灯などの光源１１１，１１２が収納され、この光源からの光は、たとえば合成樹脂などの透光性材料から成る照明部材１１５，１１６を経て治療室または一般病室を照明することができる。この照明部材１１５，１１６のたとえば背後の壁面側の一端部は、カバー３を構成するカバー部材２５，２６の内面に形成された嵌入溝５１に嵌入され、照明部材１１５，１１６のたとえば前方の他端部１１９は、タッピングビス１２０を用いて、カバー部材２５，２６の内面の固定用溝１２１に螺着される。これによってカバー部材２５，２６に照明部材１１５，１１６を装着する作業が極めて容易である。
【００７３】
しかも、タッピングビス１２０が螺着されて固定される固定用溝１２１は、カバー部材２５，２６に、横の長手方向に延びて形成される。したがってこの固定用溝１２１の希望する場所で照明部材１１５，１１６を、タッピングビス１２０を用いて、取付けることができ、組立作業が容易であり、めねじなどの刻設作業などを必要としない。
【００７４】
また、照明部材１１６の前記一端部を嵌入して保持する嵌入溝５１は、カバー部材２６と、係止爪５９の係止状態を制限する下制限部５０とによって形成される。これによってカバー部材２６の構成の簡略化を図ることができる。
【００７５】
【発明の効果】
本発明によれば、スペーサの下端部を下仕切板の第１前端部に形成された取付支持体の角変位空間内に嵌め込んで揺動可能とし、このスペーサの上端部に形成された嵌合片を、上仕切板の第２前端部に形成された保持体の保持用凹溝に着脱可能に弾発的に嵌合するので、スペーサを、パネルとともにフレームに取付けることが容易である。このスペーサには、前述のようにパネルの背後に側方突片が形成されているので、スペーサがパネルの前方に外れてしまうおそれはない。
【図面の簡単な説明】
【図１】本発明の実施の一形態の前提となる全体の構成を簡略化して示す斜視図である。
【図２】図１に示される医療用配管配線接続端子収納ユニット１の正面図である。
【図３】図１に示される収納ユニット１の縦断面図である。
【図４】カバー３の分解した状態を示す正面図である。
【図５】カバー３の内方から見た側板２８の正面図である。
【図６】図５の切断面線ＶＩ−ＶＩから見た断面図である。
【図７】図５の切断面線ＶＩＩ−ＶＩＩから見た断面図である。
【図８】図５の切断面線ＶＩＩＩ−ＶＩＩＩから見た断面図である。
【図９】図５の切断面線ＩＸ−ＩＸから見た断面図である。
【図１０】側板２８に形成される支持凸部４１の拡大正面図である。
【図１１】図１０の切断面線ＸＩ−ＸＩから見た断面図である。
【図１２】カバー部材２６の側面図である。
【図１３】図１２のセクションＸＩＩＩの拡大側面図でる。
【図１４】図１２のセクションＸＩＶの拡大側面図である。
【図１５】フレーム２の下部に設けられる係止爪部材５２の側面図である。
【図１６】係止爪部材５２の正面図である。
【図１７】フレーム２およびカバー３の構成を示す斜視図である。
【図１８】カバー３をフレーム２に取付けて施工し、または保守点検のためにカバー３をフレーム２から取外す状態を示す断面図である。
【図１９】下仕切板１４の拡大した側面図である。
【図２０】上仕切板１３の拡大側面図である。
【図２１】上仕切板１３の保持体８５に形成された保持用凹溝８６に収納されるナット８９と介在片９０とを示す斜視図である。
【図２２】下仕切板１４の図９におけるセクションＸＩＩの拡大側面図である。
【図２３】本発明の実施の一形態である医療用配管配線接続端子収納ユニット１のスペーサ１０２の構成を示す側面図である。
【図２４】図２４（１）はスペーサ１０２の正面図であり、図２４（２）はスペーサ１０２の底面図であり、図２４（３）は図２４（１）の切断面線Ａ２４−Ａ２４から見た断面図である。
【図２５】スペーサ１０２の背面図である。
【図２６】スペーサ１０２の上端部１０６に形成された嵌合片１０７の拡大した側面図である。
【図２７】本件収納ユニット１の縦断面図である。
【図２８】フレーム２とその付近を示す斜視図である。
【図２９】フレーム２とその付近の構成を示す縦断面図である。
【図３０】セパレータ１２７の側面図である。
【図３１】セパレータ１２７の正面図である。
【図３２】セパレータ１２７の平面図である。
【図３３】図３０のセクションＡ３３の拡大側面図である。
【図３４】他のセパレータ１２７ａの側面図である。
【図３５】図３４に示されるセパレータ１２７ａの正面図である。
【図３６】本件収納ユニット１の一部の正面図である。
【図３７】図３６の切断面線ＡＶＩＩ−ＡＶＩＩから見た断面図である。
【図３８】収納庫１５１の正面図である。
【図３９】収納ユニット１の前述とは異なる使用状態を示す正面図である。
【図４０】図４４の切断面線Ａ４５−Ａ４５から見た断面図である。
【図４１】収納ユニット１の一部の正面図である。
【符号の説明】
１  医療用配管配線接続端子収納ユニット
２  フレーム
３  カバー
５  接続端子
７  カバー装置
１１  パネル
１２  背面板
１３  上仕切板
１４  下仕切板
１６  壁面
２１  上収納空間
２２  中間収納空間
２３  下収納空間
２５，２６  カバー部材
２７  第２対称面
２８，２９  側板
４１  支持凸部
４２  挟持溝
４３  支持凹所
４７  係止部
４９  係止端部
５０  下制限部
５１  嵌入溝
５２  係止爪部材
５９  係止爪
６０  係止面
６３  隙間
６４  切欠き
６７  係止解除工具
６９  基端部
７０  屈曲部
７７  第１前端部
７８  第１前支持部
７９  取付支持体
８０  角変位空間
８１  第１支持部
８２  第２支持部
８３  第２前端部
８４  第２前支持部
８５  保持体
８６  保持用凹溝
８８  抜止め部
９９  保持部
１００  係止端部
１０２  スペーサ
１０３  突条
１０４  側方突片
１０５  下端部
１０６  上端部
１０７  嵌合片
１０８  突片
１１０  嵌合溝
１１１，１１２  光源
１１５，１１６  照明部材
１２０  タッピングビス
１２１  固定用溝
１２４  支持突起
１２７  セパレータ
１２８  セパレータ片
１２９  電線
１３０  切欠き
１３１，１３２  挟持片
１３３  横板
１３４  縦板
１３７，１３８  支持板部
１４２，１４５  保持爪
１４６  保持部
１５１  収納庫
１５３  電子錠
１５４  蓋体
１８１  カバー装置
１８２  カバー部材
１８３  ホルダ
【図１】
0004105365.tif 000002
【図２】
0004105365.tif 000003
【図３】
0004105365.tif 000004
【図４】
0004105365.tif 000005
【図５】
0004105365.tif 000006
【図６】
0004105365.tif 000007
【図７】
0004105365.tif 000008
【図８】
0004105365.tif 000009
【図９】
0004105365.tif 000010
【図１０】
0004105365.tif 000011
【図１１】
0004105365.tif 000012
【図１２】
0004105365.tif 000013
【図１３】
0004105365.tif 000014
【図１４】
0004105365.tif 000015
【図１５】
0004105365.tif 000016
【図１６】
0004105365.tif 000017
【図１７】
0004105365.tif 000018
【図１８】
0004105365.tif 000019
【図１９】
0004105365.tif 000020
【図２０】
0004105365.tif 000021
【図２１】
0004105365.tif 000022
【図２２】
0004105365.tif 000023
【図２３】
0004105365.tif 000024
【図２４】
0004105365.tif 000025
【図２５】
0004105365.tif 000026
【図２６】
0004105365.tif 000027
【図２７】
0004105365.tif 000028
【図２８】
0004105365.tif 000029
【図２９】
0004105365.tif 000030
【図３０】
0004105365.tif 000031
【図３１】
0004105365.tif 000032
【図３２】
0004105365.tif 000033
【図３３】
0004105365.tif 000034
【図３４】
0004105365.tif 000035
【図３５】
0004105365.tif 000036
【図３６】
0004105365.tif 000037
【図３７】
0004105365.tif 000038
【図３８】
0004105365.tif 000039
【図３９】
0004105365.tif 000040
【図４０】
0004105365.tif 000041
【図４１】
0004105365.tif 000042